(57)【要約】【課題】ユーザが情報を参照しながらこの情報を適宜利用する作業を行う場合であっても、所定の確認対象の様子を適切に確認させることができる情報表示装置の提供。【解決手段】当該情報表示装置は、可視光レーザおよび紫外光レーザを出射する光源部（２０）と、光源部（２０）から出射された可視光レーザおよび紫外光レーザを２次元走査する走査部（３０）と、所定方向における確認対象の撮影データに基づいて確認対象を認識する確認対象認識部（１３）と、光源部（２０）、および走査部（３０）を制御する制御部（１０）とを備える。走査部（３０）は、可視光レーザおよび紫外光レーザを走査して、非透過部（２１０）および可視光を透過するとともに紫外光を受光して自発光する透過部（２２０）からなる部材（２００）に可視光レーザおよび紫外光レーザを投射する。【選択図】図１
2020068502.tif 000002
【特許請求の範囲】
【請求項１】
可視光レーザおよび紫外光レーザを出射する光源部と、
前記光源部から出射された可視光レーザおよび紫外光レーザを２次元走査する走査部と、
所定方向における確認対象の撮影データに基づいて確認対象を認識する確認対象認識部と、
前記光源部、および前記走査部を制御する制御部と、
を備え、
前記走査部は、前記可視光レーザおよび前記紫外光レーザを走査して、非透過部および可視光を透過するとともに紫外光を受光して自発光する透過部からなる部材に前記可視光レーザおよび前記紫外光レーザを投射し、
前記制御部は、前記確認対象認識部が確認対象を認識している場合、前記紫外光レーザを前記透過部へ投射させて情報を表示させ、前記確認対象認識部が確認対象を認識していない場合、前記可視光レーザを前記非透過部へ投射させて、前記情報を表示させる。
情報表示装置。
【請求項２】
前記制御部は、前記確認対象認識部が確認対象を認識している場合、前記紫外光レーザを前記透過部へ投射させるとともに前記可視光レーザを前記非透過部へ投射させ、前記情報を前記透過部および前記非透過部を用いて表示させる、
請求項１に記載の情報表示装置。
【請求項３】
前記確認対象認識部は、前記情報を参照するユーザを基点として前記透過部方向に存在する確認対象を認識する、
請求項１または２に記載の情報表示装置。
【請求項４】
前記確認対象認識部は、予め登録された確認対象を認識する、
請求項１〜３のいずれか１項に記載の情報表示装置。
【請求項５】
前記制御部は、前記確認対象認識部が確認対象を認識している場合、前記情報におけるテキスト情報を前記透過部に表示させる、
請求項１〜４のいずれか１項に記載の情報表示装置。
【請求項６】
前記制御部は、前記確認対象認識部が確認対象を認識している場合、前記情報におけるテキスト情報を前記透過部に表示させ、前記情報における画像情報を前記非透過部に表示させる、
請求項１〜４のいずれか１項に記載の情報表示装置。
【請求項７】
前記部材はキッチンカウンターであり、
前記非透過部は前記キッチンカウンターのワークトップであり、
前記透過部は、前記ワークトップに備えられた透明板である、
請求項１〜６のいずれか１項に記載の情報表示装置。
【請求項８】
所定方向における確認対象の有無を認識するステップと、
非透過部および可視光を透過するとともに紫外光を受光して自発光する透過部からなる部材に対し、前記確認対象を認識している場合、少なくとも前記透過部に紫外光レーザを走査して投射することで前記透過部に情報を表示させ、前記確認対象を認識していない場合、前記非透過部に可視光レーザを走査して投射することで、前記非透過部に前記情報を表示させるステップと、を備える、
情報表示方法。
【請求項９】
情報表示装置に、
所定方向における確認対象の有無を認識するステップと、
非透過部および可視光を透過するとともに紫外光を受光して自発光する透過部からなる部材に対し、前記確認対象を認識している場合、少なくとも前記透過部に紫外光レーザを走査して投射することで前記透過部に情報を表示させ、前記確認対象を認識していない場合、前記非透過部に可視光レーザを走査して投射することで、前記非透過部に前記情報を表示させるステップと、
を実行させる情報表示プログラム。
【発明の詳細な説明】
【技術分野】
【０００１】
本発明は、情報表示装置、情報表示方法、及び情報表示プログラムに関し、特にレーザを用いた情報表示装置、情報表示方法、及び情報表示プログラムに関する。
【背景技術】
【０００２】
特許文献１には、キッチンにおいて料理レシピ等の情報を投影する装置が提案されている。これによって、ユーザは、料理等、この情報を適宜利用する作業をしている間であっても、当該情報を参照することができる。このような装置に係る技術は、ユーザが情報を参照しつつその情報を適宜用いた作業をするために好適である。
【先行技術文献】
【特許文献】
【０００３】
【特許文献１】特開２０１６−００４２１５号公報
【発明の概要】
【発明が解決しようとする課題】
【０００４】
キッチンにおいて、ユーザは、情報を参照しながらその情報を適宜利用する作業を行いつつ、さらに、所定の確認対象の様子を確認したいことがある。具体的には、ユーザがキッチンにおいて料理レシピを参照しつつ料理している間、子供やペット等の様子を確認したいことがある。このような場合、その様子の確認と情報の参照とを両立し難かった。
【０００５】
本発明は、ユーザが情報を参照しながらこの情報を適宜利用する作業を行う場合であっても、所定の確認対象の様子を適切に確認させることができる情報表示装置を提供する。
【課題を解決するための手段】
【０００６】
本実施の形態に係る情報表示装置は、
可視光レーザおよび紫外光レーザを出射する光源部と、
前記光源部から出射された可視光レーザおよび紫外光レーザを２次元走査する走査部と、
所定方向における確認対象の撮影データに基づいて確認対象を認識する確認対象認識部と、
前記光源部、および前記走査部を制御する制御部と、
を備え、
前記走査部は、前記可視光レーザおよび前記紫外光レーザを走査して、非透過部および可視光を透過するとともに紫外光を受光して自発光する透過部からなる部材に前記可視光レーザおよび前記紫外光レーザを投射し、
前記制御部は、前記確認対象認識部が確認対象を認識している場合、前記紫外光レーザを前記透過部へ投射させて情報を表示させ、前記確認対象認識部が確認対象を認識していない場合、前記可視光レーザを前記非透過部へ投射させて、前記情報を表示させる。
【０００７】
本実施の形態に係る情報表示方法は、
所定方向における確認対象の有無を認識するステップと、
非透過部および可視光を透過するとともに紫外光を受光して自発光する透過部からなる部材に対し、前記確認対象を認識している場合、少なくとも前記透過部に紫外光レーザを走査して投射することで前記透過部に情報を表示させ、前記確認対象を認識していない場合、前記非透過部に可視光レーザを走査して投射することで、前記非透過部に前記情報を表示させるステップと、を備える。
【０００８】
本実施の形態に係る情報表示プログラムは、
情報表示装置に、
所定方向における確認対象の有無を認識するステップと、
非透過部および可視光を透過するとともに紫外光を受光して自発光する透過部からなる部材に対し、前記確認対象を認識している場合、少なくとも前記透過部に紫外光レーザを走査して投射することで前記透過部に情報を表示させ、前記確認対象を認識していない場合、前記非透過部に可視光レーザを走査して投射することで前記非透過部に前記情報を表示させるステップと、
を実行させる。
【発明の効果】
【０００９】
本開示によれば、ユーザが情報を参照しながら情報を適宜利用する作業を行う場合であっても、所定の確認対象の様子を適切に確認させることができる情報表示装置、情報表示方法、及び情報表示プログラムを提供することができる。
【図面の簡単な説明】
【００１０】
【図１】実施の形態１に係る情報表示装置の一構成例を示すブロック図である。
【図２】実施の形態１に係る情報表示装置の一応用例とその設置場所を示す斜視図である。
【図３】実施の形態１に係る情報表示装置の一応用例とその設置場所を示す断面図である。
【図４】実施の形態１に係る情報表示方法の一例を示すフローチャートである。
【図５】情報表示装置に含まれるハードウェア構成の一例を示す図である。
【発明を実施するための形態】
【００１１】
（実施の形態１）
以下、図１を参照して本開示の実施の形態について説明する。図１は、実施の形態１にかかる情報表示装置の一例を示すブロック図である。
【００１２】
図１に示すように、本実施の形態に係る情報表示装置１は、光源部２０、走査部３０、及び制御部１０を備えることができる。後述するが、情報表示装置１は、主にこれらの構成要素により、部材２００に情報を描画することができる。制御部１０は、光源部２０及び走査部３０を制御する。
【００１３】
さらに、情報表示装置１は、カメラ４１とで例示する撮像装置、その撮像装置から撮影データを取得する撮影データ取得部１２、及びサーバ装置等の外部装置と通信を行う通信部４２を備えることができる。また、情報表示装置１は、投射制御部１１、撮影データ取得部１２、確認対象認識部１３、情報取得部１４、及び表示情報操作部１５を、制御部１０の一部として備えることができる。情報取得部１４は、通信部４２を介して、所定のデータを外部装置から取得し、又は外部装置へ送出することができる。表示情報操作部１５は、操作Ｕ／Ｉ（ユーザインターフェイス）４３を介して、情報取得部１４が取得する情報の検索、選択、表示、移動等の操作を行うことができる。
【００１４】
情報表示装置１は、制御部１０の一部として又は制御部１０の外部に、ＤＤＲ（Double Data Rate）メモリ４４、Ｆｌａｓｈメモリ（フラッシュメモリ）４５、及びＥＥＰＲＯＭ（Electrically Erasable and Programmable Read Only Memory）４７等を備えることができる。
【００１５】
制御部１０は、ＣＰＵ（Central Processing Unit）等のプロセッサによって構成されることができる。つまり、制御部１０は、コンピュータとしての機能を備えることができる。制御部１０は、例えばＦｌａｓｈメモリ４５等の記憶装置に記憶されたプログラムを実行し、各種処理を行うことができる。また、制御部１０は、このプログラムを実行することによって、投射制御部１１、撮影データ取得部１２、確認対象認識部１３、情報取得部１４、及び表示情報操作部１５、といった構成要素の機能を実現する。なお、制御部１０は、各種処理に関する設定情報等をＥＥＰＲＯＭ４７に記憶させることができる。
【００１６】
ＤＤＲメモリ４４は、画像データを一時的に保存するフレームバッファの一例である。ＤＤＲメモリ４４は、ＤＤＲ２やＤＤＲ３、その他のＳＤＲＡＭ（Synchronous Dynamic Random Access Memory）であってもよい。Ｆｌａｓｈメモリ４５は、制御部１０の動作に必要なデータやプログラムなどを記憶する不揮発性記憶部の一例である。制御部１０は、例えば、後述するスキャナドライバ３２を動作させるための駆動信号を生成させる。ＥＥＰＲＯＭ４７は、この生成動作に必要なデータなどを記憶する不揮発性記憶部の一例である。
【００１７】
なお、制御部１０の各構成要素は、プログラムで実現することに限ることなく、ハードウェア、或いはハードウェアとプログラムとの組み合わせ等により実現することもできる。また、制御部１０の各構成要素は、例えばＦＰＧＡ（field-programmable gate array）又はマイコン等の、使用者がプログラミング可能な集積回路を用いて実現してもよい。このように、制御部１０は、この集積回路を用いて制御部１０の各構成要素の機能を実現してもよい。
【００１８】
光源部２０及び走査部３０は、例えば、情報取得部１４が取得し、ＤＤＲメモリ４４に一時的に保存された画像データが示す画像を投射することができる。
【００１９】
光源部２０は、可視光レーザ及び紫外光レーザを出射する。そのために、光源部２０は、光源としての可視光レーザ及び紫外光レーザを出力するレーザダイオード２１と、レーザドライバ２２と、を備えることができる。レーザダイオード２１は、赤色レーザダイオード２１Ｒ、緑色レーザダイオード２１Ｇ、青色レーザダイオード２１Ｂ、及び紫外光レーザダイオード２１ＵＶにより構成することができる。しかしながら、レーザダイオード２１は、紫外光レーザ及び可視光レーザの色の組み合わせなど、この構成に限ったものではない。例えば、紫外光レーザと１色の可視光レーザを出力できるだけの構成であってもよいし、他色のレーザを出力するレーザダイオードを備えてもよいし、紫外光レーザを出力する複数のレーザダイオードを備えてもよい。
【００２０】
レーザドライバ２２は、制御部１０（具体的には投射制御部１１）からの制御に基づき、レーザダイオード２１を駆動することができる。例えば、レーザドライバ２２は、投射制御部１１からの制御に基づく点灯タイミング及び駆動電流で、レーザダイオード２１に含まれるレーザダイオードのそれぞれを駆動する。
【００２１】
また、光源部２０は、赤色レーザダイオード２１Ｒ、緑色レーザダイオード２１Ｇ、青色レーザダイオード２１Ｂ、及び紫外光レーザダイオード２１ＵＶの各々から出力されたレーザ光を合成するような光学系を備えることができる。この光学系は、例えば複数のダイクロイックミラー等から構成されることができる。また、光源部２０は、このように合成されたレーザ光を、後述の走査ミラー部３１へ導くためのミラーを備えることができる。これにより、光源部２０からのレーザ光を走査ミラー部３１に照射することができる。
【００２２】
走査部３０は、光源部２０から出射された可視光レーザ及び紫外光レーザを走査し、これにより部材２００に可視光レーザ及び紫外光レーザを投射する。そのため、走査部３０は、スキャナドライバ３２及び走査ミラー部３１を備えることができる。可視光レーザは、赤色レーザダイオード２１Ｒ、緑色レーザダイオード２１Ｇ、及び青色レーザダイオード２１Ｂから出力することができ、紫外光レーザは、紫外光レーザダイオード２１ＵＶから出力することができる。
【００２３】
走査ミラー部３１は、スキャナドライバ３２によって駆動され、光源部２０から照射されたレーザ光を反射してスクリーンとしての部材２００に走査する。走査ミラー部３１は、レーザ光を反射して部材２００の水平方向に走査する水平走査ミラー３１１と、レーザ光を反射して部材２００の垂直方向に走査する垂直走査ミラー３１２と、を備えることができる。水平走査ミラー３１１及び垂直走査ミラー３１２は、例えばＭＥＭＳ（Micro Electro Mechanical System）等の走査ミラーで構成され得る。
【００２４】
スキャナドライバ３２は、投射制御部１１の制御に基づき、走査ミラー部３１を構成する走査ミラーを動作させる。スキャナドライバ３２は、水平走査ミラー３１１を動作させる水平スキャナドライバ３２１と、垂直走査ミラー３１２を動作させる垂直スキャナドライバ３２２と、を備えることができる。水平スキャナドライバ３２１は、投射制御部１１からの制御に基づき、水平走査ミラー３１１を所定の周波数で揺動させるための駆動電圧を、水平走査ミラー３１１に供給する。垂直スキャナドライバ３２２は、投射制御部１１からの制御に基づき、垂直走査ミラー３１２を所定の周波数で揺動させるための駆動電圧を、垂直走査ミラー３１２に供給する。
【００２５】
なお、上記説明においては、光源部２０から出力されたレーザ光の光路を、水平走査ミラー３１１による走査後、垂直走査ミラー３１２による走査を行うような光路としたが、このような構成に限られない。水平走査ミラー３１１及び垂直走査ミラー３１２の走査順は逆であってもよい。また、水平走査ミラー３１１と垂直走査ミラー３１２は一体であってもよい。
【００２６】
（一応用例）
次に、図１〜図３を参照して、本実施の形態１に係る情報表示装置の一応用例について説明する。本応用例は、情報表示装置をキッチンカウンターにおいて応用した例である。図２は、実施の形態１に係る情報表示装置の一応用例とその設置場所を示す斜視図である。図３は、実施の形態１に係る情報表示装置の一応用例とその設置場所を示す断面図である。図３は、図２に示す一応用例とその設置場所との断面図でもある。
【００２７】
図２及び図３に示すように、情報表示装置１の一具体例である情報表示装置５０は、部材２００の上方に設置される。
【００２８】
図２に示す部材２００の一具体例は、キッチンカウンターであり、さらに具体的には、一般家庭用の対面式キッチンカウンターである。部材２００は、非透過部２１０と、透過部２２０とを備える。
【００２９】
図２及び図３に示す非透過部２１０の一具体例は、ワークトップの少なくとも一部である。図２及び図３に示す透過部２２０の一具体例は、このワークトップ一端に立ち上がる透明板であり、より具体的には、ガラスパネルである。透過部２２０は、可視光を透過するとともに紫外光を受光して自発光する。透過部２２０は、平面形状に限らず、３次元形状であってもよい。走査部３０での走査は、上述したように２次元走査とすることができ、この２次元走査により最終的には非透過部２１０、透過部２２０、特に、非透過部２１０における情報表示装置５０側の表面、及び透過部２２０におけるユーザ側の主面上にレーザ光が投射されることになる。走査部３０での走査範囲ＳＣ１は、非透過部２１０、及び透過部２２０の少なくとも一領域であり、図２及び図３に示す一具体例では、非透過部２１０、及び透過部２２０における長方形状の領域である。透過部２２０を自発光させるために、透過部２２０の全部又は自発光させる必要がある部分に、紫外光に反応して発光する蛍光物質等の発光材料を含めておくことができる。透過部２２０は、可視光を透過する樹脂又はガラス等の部材に、紫外光に反応することで可視光で発光する蛍光物質を中間膜として挟む構成とすることができる。なお、部材２００は、適宜、その他の様々な構成要素、例えば、図２に示すシンク２３０や壁面２４０、２５０等を備えることができる。このような構成要素は、適宜、非透過部２１０として利用することができる。
【００３０】
ユーザは、部材２００を利用して所定作業を行うことができる。ユーザは、部材２００の透過部２２０に対向する位置（ここでは、部材２００のＹ軸マイナス側）にいながら所定の作業をすることができる。情報表示装置５０が備えるカメラ４１は、ユーザの位置を基点として透過部２２０側（ここでは、Ｙ軸プラス側）へ向くように設けられている。そのため、カメラ４１は、ユーザの位置を基点として透過部２２０方向を撮像する。部材２００が、対面キッチン式カウンターである場合、上記所定の作業は、例えば、料理、お菓子作り等に関連する作業などである。
【００３１】
ここで、ユーザの位置から透過部２２０の方向に確認対象Ｔ１が存在することがある。具体的には、確認対象Ｔ１とユーザとが、透過部２２０を挟むように、確認対象Ｔ１が存在することがある。このような場合、カメラ４１は、確認対象Ｔ１を撮影し、確認対象Ｔ１を示す撮影画像を形成する。一方、ユーザの位置から透過部２２０の方向に確認対象Ｔ１が存在しない場合、カメラ４１は、確認対象Ｔ１を撮影し、確認対象Ｔ１を示さない撮影画像を形成する。
なお、図３に示す確認対象Ｔ１の一具体例は、子供、又は小柄な人物であるが、確認対象Ｔ１は、これに限定されず、老若男女を問わない人物、又は動物等であってもよい。
【００３２】
図１に示す撮影データ取得部１２が、カメラ４１が撮影した撮影画像を示す撮影データを取得し、確認対象認識部１３へ送り出す。
【００３３】
確認対象認識部１３が、この撮影データを受け取り、この撮影データに対する認識処理結果に基づいて、確認対象Ｔ１を認識したか否かを判定する。確認対象Ｔ１を示す確認対象情報は、予め、ＤＤＲメモリ４４等に登録しているとよく、確認対象認識部１３が、適宜、ＤＤＲメモリ４４等から読み出せるようにしておくとよい。確認対象情報は、例えば、特定、又は非特定の人物、特定、又は非特定の動物である。この特定の人物は、例えば、同居人、家族、子供等が挙げられる。この特定の動物は、例えば、ペットが挙げられる。
【００３４】
この撮影データに基づく撮影画像に、確認対象Ｔ１（図３参照）が含まれている場合、確認対象認識部１３は、確認対象Ｔ１を認識する。この撮影データに基づく撮影画像に、確認対象Ｔ１が含まれない場合、確認対象認識部１３は、確認対象Ｔ１を認識しない。確認対象認識部１３は、確認対象Ｔ１の認識有無を示す確認対象認識データを生成し、投射制御部１１へ送る。
【００３５】
投射制御部１１は、確認対象認識データに基づいて、可視光レーザ、又は紫外光レーザを非透過部２１０、又は透過部２２０の少なくとも一部に投射させることで情報を示す。具体的には、確認対象認識部１３が確認対象Ｔ１を認識している場合、投射制御部１１は、光源部２０及び走査部３０を制御し、紫外光レーザを透過部２２０へ投射させて、情報を透過部２２０に表示させる。確認対象認識部１３が確認対象Ｔ１を認識していない場合、投射制御部１１は、光源部２０及び走査部３０を制御して、可視光レーザを走査部３０に非透過部２１０へ投射させて、情報を非透過部２１０に表示させる。
【００３６】
投射制御部１１は、確認対象認識部１３が確認対象Ｔ１を認識していない場合、可視光レーザを非透過部２１０へ投射させて、情報を非透過部２１０に表示させる。投射制御部１１は、確認対象認識部１３が確認対象Ｔ１を認識している場合、可視光レーザを非透過部２１０へ投射させるとともに紫外光レーザを透過部２２０へ投射させ、情報の一部分を非透過部２１０に表示させ情報の他の部分を透過部２２０へ表示させる。
【００３７】
また、例えば、透過部２２０の全面や任意の領域の内部に発光材料を含ませておくことで、走査部３０が走査可能な範囲の任意の領域で、面や線で構成される情報（静止画、動画を問わない）を示すことができる。当然、透過部２２０の全面で情報を表示させることも可能である。
【００３８】
次に、非透過部２１０、透過部２２０に表示させる情報の元となるデータについて説明する。
【００３９】
非透過部２１０に表示させる情報を示す画像データは、投射制御部１１が読み出し可能なように予め記憶されたものを使用することができる。ＤＤＲメモリ４４は、可視光レーザにより表示させる画像データを一時的に保存するフレームバッファとすることができる。そして、投射制御部１１は、ここに保存された画像データを非透過部２１０上で描画できるように可視光レーザの点灯を制御することができる。可視光レーザの点灯は、上述したように投射制御部１１がレーザドライバ２２を制御して赤色レーザダイオード２１Ｒ、緑色レーザダイオード２１Ｇ、及び青色レーザダイオード２１Ｂの少なくとも１つを駆動させることで行うことができる。
【００４０】
透過部２２０に表示させる情報を示す画像データは、投射制御部１１が読み出し可能なように予め記憶されたものを使用することができる。ＤＤＲメモリ４４は、紫外光レーザにより示す画像データを一時的に保存するフレームバッファとすることができる。そして、投射制御部１１は、ここに保存された画像データを透過部２２０上で描画できるように紫外光レーザの点灯を制御することができる。また、紫外光レーザで透過部２２０の形状（実際には透過部２２０内の発光材料が含まれる領域の形状）と異なるような画像データを透過部２２０上で表現させる場合、ＤＤＲメモリ４４には、このような画像データを一時的に保存しておけばよい。紫外光レーザの点灯は、上述したように投射制御部１１がレーザドライバ２２を制御して紫外光レーザダイオード２１ＵＶを駆動させることで行うことができる。
【００４１】
なお、ＤＤＲメモリ４４に読み出す元の画像データは、静止画のデータ又は動画データ（映像データ）として、Ｆｌａｓｈメモリ４５にプログラムにより読み出し可能に又はプログラムの一部として記憶させておくことができる。この点は、非透過部２１０、透過部２２０に表示させる情報のいずれに関する画像データについても同様である。
【００４２】
（情報表示方法）
次に、図４を参照して実施の形態１に係る情報表示方法の一例について説明する。図４は、実施の形態１に係る情報表示方法の一例を示すフローチャートである。なお、この一例の情報表示方法は、情報表示装置１を用いたが、別の情報表示装置や、その一部の構成を用いてもよい。
【００４３】
まず、情報の表示を開始するかを確認する（情報表示開始確認ステップＳ１０）。具体的には、制御部１０が、情報の表示開始を指示する入力信号を操作Ｕ／Ｉ４３を介して受け取ることによって、情報の表示開始を確認する。
【００４４】
続いて、情報の表示を開始した場合（情報表示開始確認ステップＳ１０：ＹＥＳ）、確認対象Ｔ１を認識したか否かを判定する（確認対象認識ステップＳ１１）。認識する対象となる確認対象Ｔ１として、例えば、不特定の人物、不特定の動物、予め登録された特定の人物、予め登録された特定の動物等が挙げられる。確認対象Ｔ１は、操作Ｕ／Ｉにより選択可能としてもよい。具体的には、確認対象認識部１３は、撮影データに基づく撮像画像が、予め登録された特定の人物等を示す場合、登録された確認対象Ｔ１を認識したと判定する。一方、この撮像画像が、予め登録された特定の人物等を示さない場合、確認対象認識部１３は、登録された確認対象Ｔ１を認識しないと判定する。
【００４５】
確認対象認識ステップＳ１１においては、確認対象認識部１３が認識する確認対象Ｔ１は、顔認識で特定される特定の個人、人物認識で特定される不特定の人物、動物認識で特定される特定または不特定の動物など、設定は任意である。なお、情報の表示を開始しない場合（情報表示開始確認ステップＳ１０：ＮＯ）、情報表示を終了する。
【００４６】
続いて、確認対象認識部１３が確認対象Ｔ１を認識した場合（確認対象認識ステップＳ１１：ＹＥＳ）、投射制御部１１は、透過部２２０または透過部２２０を含む範囲に情報を表示する（透過部情報投射ステップＳ１２）。投射制御部１１は、透過部２２０に対し、ユーザが透過部２２０を介して確認対象Ｔ１の様子を確認することができるような情報を表示するとよい。例えば、投射制御部１１が透過部２２０に表示する情報は、情報表示部分であっても透過部２２０を介して確認対象Ｔ１を目視することができる。このため、ユーザは情報を視認しつつ、透過部２２０を介して確認対象Ｔ１を確認することができる。
【００４７】
なお、当該情報の一部を非透過部２１０に表示してもよい。例えば、情報は、テキストを含む場合、そのテキストを透過部２２０に表示させる。また、情報は、画像とテキストを含む場合、そのテキストを透過部２２０に表示させ、その画像を非透過部２１０に表示させる。透過部２２０に表示されたテキストの周辺が透けているため、ユーザは、透過部２２０を介して、確認対象Ｔ１の様子を確認することができる。また、透過部２２０に表示される情報は、発光材料の発光色に依存し、単色である。このため、表示対象となる情報のテキストを透過部２２０に表示させ、画像を非透過部２１０に表示させてもよい。よって、ユーザは、透過部２２０に表示されたテキストを参照しつつテキストを利用した所定の作業をしながら、確認対象Ｔ１の様子を確認することができる。さらに、ユーザは、適宜、非透過部２１０に視線を移すことによって、非透過部２１０に表示された画像を確認することができる。
【００４８】
さらに、情報が、外部装置から取得した情報、例えば、外部のｗｅｂサイトである場合、表示内容を分析し、投射映像として再構築することが好ましい。なお、透過部情報投射ステップＳ１２では、情報を投影した向きによって、その情報の補正をするとよい。
【００４９】
なお、登録された確認対象Ｔ１を認識しない場合（確認対象認識ステップＳ１１：ＮＯ）、非透過部２１０に情報を表示する（非透過部情報投射ステップＳ１３）。
【００５０】
透過部情報投射ステップＳ１２あるいは非透過部情報投射ステップＳ１３における情報表示後、情報表示を終了するかを確認する（情報表示終了確認ステップＳ１４）。具体的には、情報の表示終了を指示する入力信号を、操作Ｕ／Ｉ４３を介して制御部１０が受け取ることによって、情報の表示終了を確認する。
【００５１】
情報表示を終了する（情報表示終了確認ステップＳ１４：ＹＥＳ）まで、確認対象認識ステップＳ１１と、透過部情報投射ステップＳ１２、又は非透過部情報投射ステップＳ１３とを繰り返す。
【００５２】
さて、非透過部２１０に情報を表示したまま（非透過部情報投射ステップＳ１３）、情報表示の継続を確認し（情報表示終了確認ステップＳ１４：ＮＯ）、登録された確認対象Ｔ１を認識する場合（確認対象認識ステップＳ１１：ＹＥＳ）がある。このような場合、登録された確認対象Ｔ１を認識した時点において、速やかに透過部２２０に情報を表示する（透過部情報投射ステップＳ１２）。
【００５３】
しかし、透過部２２０に情報を表示したまま（透過部情報投射ステップＳ１２）、情報表示の継続を確認し（情報表示終了確認ステップＳ１４：ＮＯ）、登録された確認対象Ｔ１を認識しなくなった場合（確認対象認識ステップＳ１１：ＮＯ）がある。このような場合、例えば、５分等、所定期間経過後に、再度登録された確認対象Ｔ１を認識しなくなった場合（確認対象認識ステップＳ１１：ＮＯ）、非透過部２１０に情報を表示する（非透過部情報投射ステップＳ１３）と好ましい。
【００５４】
以上より、ユーザが情報を参照しながらこの情報を適宜利用する作業を行う場合であっても、透過部２２０が情報を表示しつつ透過部２２０の一部が透けているため、確認対象Ｔ１が、部材２００を越えた位置に存在するユーザに見える。よって、情報表示装置は確認対象Ｔ１の様子をユーザに示し、ユーザは、確認対象Ｔ１の様子を確認することができる。具体的には、部材２００が対面式キッチンカウンターである場合、ユーザが料理レシピを参照しながらこの料理レシピを適宜利用する作業を行うことがある。このとき、情報表示装置は、ユーザを基点とした透過部方向であって、その透過部を越えた位置に存在する子供等の様子をユーザに示すことができる。
【００５５】
また、確認対象Ｔ１が認識されているときに、投射制御部１１は、透過部２２０または透過部２２０を含む範囲に情報を表示することで、ユーザが表示されている情報に集中している場合であっても、ユーザの視線が透過部２２０方向を向くため、確認対象Ｔ１の状態に気付きやすいという効果もある。
【００５６】
（他の実施の形態等）
上記実施の形態では、図１に示す情報表示装置１の各部位の機能について説明したが、情報表示装置１としてこれらの機能が実現できればよい。なお、上記実施の形態では、情報表示装置１の設置場所として、適宜、キッチンカウンターを例として説明したが、ユーザが情報を参照しながらその情報を利用した作業をしつつ、ユーザから透過部を越えた位置に、確認対象Ｔ１が存在し得る場所であれば、他の設置場所であってもよい。この他の設置場所として、例えば、作業台等が考えられる。
【００５７】
また、情報表示装置１が表示する情報は、料理レシピに限らず、例えば、Ｅメール、ＳＮＳ（social networking service）に関する情報など、様々な情報が適用可能である。
【００５８】
また、上記実施の形態に係る情報表示装置１は、次のようなハードウェア構成を備えることができる。図５は、情報表示装置１に含まれるハードウェア構成の一例を示す図である。
【００５９】
図５に示す情報表示装置１００は、通信部４２の一例としての通信インタフェース、光源部２０用のインタフェース、及び走査部３０用のインタフェース等のインタフェース１０３とともに、プロセッサ１０１及びメモリ１０２を備える。上述した実施の形態で説明した制御部１０は、プロセッサ１０１がメモリ１０２に記憶された制御プログラムを読み込んで実行することにより実現される。つまり、この制御プログラムは、プロセッサ１０１を図１の制御部１０又はその一部として機能させるためのプログラムである。この制御プログラムは、図１の情報表示装置１に、制御部１０又はその一部における処理を実行させるためのプログラムであると言える。
【００６０】
上述したプログラムは、様々なタイプの非一時的なコンピュータ可読媒体（non-transitory computer readable medium）を用いて格納され、コンピュータ（情報通知装置を含むコンピュータ）に供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）を含む。さらに、この例は、ＣＤ−ＲＯＭ（Read Only Memory）、ＣＤ−Ｒ、ＣＤ−Ｒ／Ｗを含む。さらに、この例は、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６１】
さらに、上述した様々な実施の形態において、情報表示装置における処理の手順を説明したように、本開示は情報表示方法としての形態も採り得る。この情報表示方法は、次の第１、及び第２のステップを含む。第１のステップは、可視光レーザおよび紫外光レーザを走査して、非透過部および可視光を透過するとともに紫外光を受光して自発光する透過部からなる部材に可視光レーザおよび紫外光レーザを投射するステップである。第２のステップは、所定方向における確認対象の撮影データに基づいて確認対象を認識している場合、透過部に紫外光レーザを投射して情報を表示させ、確認対象を認識していない場合、非透過部に可視光レーザを投射して、情報を表示させるステップである。なお、その他の例については、上述した様々な実施の形態で説明した通りである。また、上述の制御プログラムは、情報表示装置にこのような情報表示方法を実行させるための情報表示プログラムであると言える。
【００６２】
なお、本発明は上記実施の形態に限られたものではなく、趣旨を逸脱しない範囲で適宜変更することが可能である。また、本発明は、実施の形態やその一例を適宜組み合わせて実施してもよい。
【符号の説明】
【００６３】
１、５０、１００  情報表示装置
１０  制御部
１１  投射制御部                          １２  撮影データ取得部
１３  確認対象認識部                      
２０  光源部
２１  レーザダイオード                    
２１Ｂ  青色レーザダイオード              ２１Ｇ  緑色レーザダイオード
２１Ｒ  赤色レーザダイオード              ２１ＵＶ  紫外光レーザダイオード
２２  レーザドライバ
３０  走査部                              
４１  カメラ
１０１  プロセッサ                        １０２  メモリ
１０３  インタフェース
２００  部材
２１０  非透過部                          ２２０  非透過部
Ｓ１０  情報表示開始確認ステップ          Ｓ１１  確認対象認識ステップ
Ｓ１２  透過部情報投射ステップ            Ｓ１３  非透過部情報投射ステップ
Ｓ１４  情報表示終了確認ステップ          ＳＣ１  走査範囲
【図１】
2020068502.tif 000003
【図２】
2020068502.tif 000004
【図３】
2020068502.tif 000005
【図４】
2020068502.tif 000006
【図５】
2020068502.tif 000007